(57)【特許請求の範囲】
【請求項１】
少なくとも１つのプロセッサと、１つ以上のプログラムのためのコンピュータ・コードを含む少なくとも１つのメモリとを備える装置であって、
前記少なくとも１つのメモリおよび前記コンピュータ・コードは、前記少なくとも１つのプロセッサを用いて、
該装置に、少なくとも、ユーザー機器用に、クローズド加入者セルを有する追加の基地局を追加したことに応答して、基地局からネットワーク・エンティティに対しメッセージを伝送させるように構成され、
前記メッセージは、前記追加の基地局と関連付けられたクローズド加入者グループを識別する情報を含む、装置。
【請求項２】
前記メッセージは、さらに、１つ以上のクローズド加入者セルに割振られたベアラの情報、
切換えられるべき無線アクセス・ベアラについての情報、
ベアラ・タイプ情報、
ダウンリンク・トンネル・エンドポイント、
ＵＥがシングル・コネクティビティ・モードであるか、または、デュアル・コネクティビティ・モードであるかを標示する情報、
アクセス・モード情報、
クローズド加入者グループ情報およびクローズド加入者メンバーシップ・ステータス情報
のうちの少なくとも１つを含む、請求項１に記載の装置。
【請求項３】
前記アクセス・モード情報は、アクセス・モードがハイブリッド・アクセス・モードに設定されていることを標示している、請求項２に記載の装置。
【請求項４】
前記アクセス・モード情報、クローズド加入者グループ情報、クローズド加入者メンバーシップ・ステータス情報のうちの少なくとも１つが、二次セル・グループに関係するものである、請求項２に記載の装置。
【請求項５】
前記メッセージは、パス切換え要求メッセージおよびＳ１メッセージのうちの少なくとも１つを含む、請求項１に記載の装置。
【請求項６】
前記少なくとも１つのメモリと、前記コンピュータ・コードとは、前記少なくとも１つのプロセッサを用いて、
該装置に、少なくとも、クローズド加入者セルへのユーザー機器の更新済みメンバーシップを標示する更新情報を受信させるように構成される、請求項１に記載の装置。
【請求項７】
前記更新済みメンバーシップ・クローズド加入者セルが、マスター基地局または前記追加の基地局のものである、請求項６に記載の装置。
【請求項８】
前記少なくとも１つのメモリと、前記コンピュータ・コードとは、前記少なくとも１つのプロセッサを用いて、該装置に、少なくとも、前記ユーザー機器の前記更新済みメンバーシップと関連付けられたリソースを解放または修正させるように構成される、請求項６に記載の装置。
【請求項９】
前記更新情報は、前記更新済みメンバーシップについてのベアラまたはグループ・クローズド加入者の情報を含む、請求項６に記載の装置。
【請求項１０】
前記少なくとも１つのメモリと、前記コンピュータ・コードとは、前記少なくとも１つのプロセッサを用いて、
該装置に、少なくとも、前記更新情報を前記追加の基地局に提供させるように構成される、請求項６に記載の装置。
【請求項１１】
前記少なくとも１つのメモリと、前記コンピュータ・コードとは、前記少なくとも１つのプロセッサを用いて、
該装置に、少なくとも、前記追加の基地局および現在の基地局のクローズド加入者アイデンティティ情報を送信させ、
前記追加の基地局の追加に先立ち前記追加された基地局のメンバーシップ・ステータスを受信させるように構成される、請求項１に記載の装置。
【請求項１２】
少なくとも１つのプロセッサと、１つ以上のプログラムのコンピュータ・コードを含む少なくとも１つのメモリと、を備える装置であって、
前記少なくとも１つのメモリおよび前記コンピュータ・コードは、前記少なくとも１つのプロセッサを用いて、
該装置に、少なくとも、ネットワーク・エンティティにおいて、基地局から、追加された基地局と関連付けられたクローズド加入者グループを識別する情報を含むメッセージを受信させるように構成され、
該追加された基地局は、ユーザー機器のために追加され、クローズド加入者セルを有している、
装置。
【請求項１３】
ユーザー機器用に、クローズド加入者セルを有する追加の基地局を追加したことに応答して、基地局からネットワーク・エンティティへメッセージを伝送させるステップであって、該メッセージは、該追加の基地局と関連付けられたクローズド加入者グループを識別する情報を含んでいる、ステップを含む方法。
【請求項１４】
前記メッセージは、さらに、
１つ以上のクローズド加入者セルに割振られたベアラの情報、
切換えられるべき無線アクセス・ベアラについての情報、
ベアラ・タイプ情報、
ダウンリンク・トンネル・エンドポイント、
ＵＥがシングル・コネクティビティ・モードであるか、または、デュアル・コネクティビティ・モードであるかを標示する情報、
アクセス・モード情報、
クローズド加入者グループ情報およびクローズド加入者メンバーシップ・ステータス情報
のうちの少なくとも１つを含む、請求項１３に記載の方法。
【請求項１５】
前記アクセス・モード情報は、アクセス・モードがハイブリッド・アクセス・モードに設定されていることを標示している、請求項１４に記載の方法。
【請求項１６】
前記アクセス・モード情報、クローズド加入者グループ情報、クローズド加入者メンバーシップ・ステータス情報のうちの少なくとも１つが、二次セル・グループに関係するものである、請求項１４に記載の方法。
【請求項１７】
前記メッセージは、パス切換え要求メッセージおよびＳ１メッセージのうちの少なくとも１つを含む、請求項１３または１４に記載の方法。
【請求項１８】
クローズド加入者セルへのユーザー機器の更新済みメンバーシップを標示する更新情報を受信するステップを含む、請求項１３または１４に記載の方法。
【請求項１９】
前記更新済みメンバーシップ・クローズド加入者セルが、マスター基地局または前記追加の基地局のものである、請求項１８に記載の方法。
【請求項２０】
前記ユーザー機器の前記更新済みメンバーシップと関連付けられたリソースを解放または修正させるステップを含む、請求項１８または１９に記載の方法。
【請求項２１】
前記更新情報が、前記更新済みメンバーシップについてのベアラまたはクローズド加入者グループの情報を含む、請求項１８または１９に記載の方法。
【請求項２２】
前記更新情報を前記追加の基地局に提供するステップを含む、請求項１８または１９に記載の方法。
【請求項２３】
前記追加の基地局および現在の基地局のクローズド加入者アイデンティティ情報を送信するステップと、
前記追加の基地局の追加に先立ち前記追加された基地局のメンバーシップ・ステータスを受信するステップと
を含む、請求項１３または１４に記載の方法。
【請求項２４】
ネットワーク・エンティティにおいて、基地局から、追加された基地局と関連付けられたクローズド加入者グループを識別する情報を含むメッセージを受信するステップであって、該追加された基地局は、ユーザー機器のために追加され、クローズド加入者セルを有する、ステップを含む方法。
【請求項２５】
前記クローズド加入者グループの前記ユーザー機器のメンバーシップの変更を決定するステップと、
ユーザー・コンテキスト修正要求を基地局に対し送信させるステップと、
を含む、請求項２４に記載の方法。
【請求項２６】
前記ユーザー・コンテキスト修正要求が、クローズド加入者グループメンバーシップ・ステータスと、該クローズド加入者グループメンバーシップ・ステータスが関連付けられているセル・グループと
のうちの少なくとも１つを含む、請求項２５に記載の方法。
【請求項２７】
前記ユーザー・コンテキスト修正要求が、前記クローズド加入者グループと関連付けられた前記ユーザー機器の１つ以上のリソースを解放しなかったことを決定するステップと、
ベアラ修正またはベアラ解放またはユーザー機器解放メッセージを送信させるステップと
を含む、請求項２５または２６に記載の方法。
【請求項２８】
各ベアラについてのクローズド加入者情報を標示するＧＴＰメッセージを送信するステップを含む、請求項２４または２５に記載の方法。
【請求項２９】
実行されたとき、基地局において、または、ネットワーク・エンティティにおいて、請求項１３または２４の方法を実行させるコンピュータ実行可能命令を含むコンピュータ・プログラム。
【発明の詳細な説明】
【技術分野】
【０００１】
いくつかの実施形態は、方法および装置に関し、詳細には、ユーザー・デバイスまたは機器が２つ以上のノードまたは基地局と通信状態にあるシナリオにおいて使用するための方法および装置に関する。ただし限定的ではない。
【背景技術】
【０００２】
通信システムは、２つ以上のノード、例えば固定または移動体通信デバイス、アクセス・ポイント、例えば、ノード、基地局、サーバー、ホスト、マシン・タイプのサーバー、ルーターなどの間での通信セッションを可能にする設備とみなすことができる。通信システムおよび互換性ある通信デバイスは、典型的に、このシステムに関連付けられたさまざまなエンティティができることは何か、そしてそれをいかに達成すべきかを規定する所与の規格および仕様書にしたがって動作する。例えば、規格、仕様書および関係するプロトコルは、通信デバイスがアクセス・ポイントといかに通信するか、通信のさまざまな態様をいかに実現するか、およびデバイスおよびその機能性をいかに構成するかの方法を規定し得る。
【０００３】
セルラー通信システムの一例としては、第３世代パートナーシップ・プロジェクト（３ＧＰＰ）によって規格化されているアーキテクチャがある。この分野における最近の開発は、多くの場合、ユニバーサル・モバイル・テレコミュニケーションシステム（ＵＭＴＳ）無線アクセス技術のロング・ターム・エボリューション（ＬＴＥ）またはロング・ターム・エボリューション・アドバンスト（ＬＴＥ  ａｄｖａｎｃｅｄ）と呼ばれている。セルを提供するＬＴＥ基地局は、一般にエンハンスト・ノードＢ（ｅＮＢ）と呼ばれる。１つのｅＮＢは、１つのセルまたは類似の無線サービス・エリア全体についてのカバレッジを提供し得る。
【０００４】
ユーザーは、適切な通信デバイスを用いて、通信システムにアクセスすることができる。ユーザーの通信デバイスは多くの場合ユーザー・デバイス（ＵＥ）、ユーザー・デバイスまたは端末と呼ばれる。通信デバイスには、他の当事者との通信を可能にするための適切な信号受信および伝送用装置が備えられている。無線システムにおいて、通信デバイスは、典型的に、別の通信デバイス、例えば基地局および／または別のユーザー・デバイスと通信できる送受信局を提供する。ユーザー・デバイス（ＵＥ）などの通信デバイスは、基地局が提供するキャリアにアクセスでき、キャリア上で伝送および／または受信することができる。
【０００５】
信号は、有線または無線キャリア上で搬送され得る。無線システムの例としては、地上波公共移動通信ネットワーク（ＰＬＭＮ）、衛星通信システムおよび異なる無線ローカル・ネットワーク、例えば無線ローカル・エリア・ネットワーク（ＷＬＡＮ）が含まれる。無線システムは、セルと呼ばれるカバレッジ・エリアに分割され得、このようなシステムは多くの場合、セルラー・システムと呼ばれる。セルは、基地局によって提供され得、さまざまなタイプの基地局が存在する。異なるタイプのセルは異なる機能を提供し得る。例えば、セルは、異なる形状、サイズ、機能性、その他の特性を有し得る。セルは典型的には制御ノードによって制御される。
【０００６】
ＬＴＥアドバンストにおいては、ネットワーク・ノードは、例えばセル全体のためのカバレッジを提供し得るマクロｅＮｏｄｅＢ（ｅＮＢ）などの広域ネットワーク・ノードであり得る。あるいは、ＬＴＥアドバンストにおいて、ネットワーク・ノードは、フェムトｅＮＢｓ（ＨｅＮＢ）またはピコｅＮｏｄｅＢ（ｐｉｃｏ−ｅＮＢ）などの小域ネットワーク・ノードであり得る。これらのセルは、ローカル・オフロードをサポートするように構成され得、クローズド加入者グループ（ＣＳＧ）またはオープン加入者グループ（ＯＳＧ）に属する任意の１つのまたは複数のＵＥをサポートすることができる。
【０００７】
一態様によると、ユーザー機器用にクローズド加入者セルを有する追加の基地局を追加したことに応答して、ネットワーク・エンティティに対しメッセージを伝送させるステップを含む方法において、前記メッセージが前記追加の基地局と関連付けられたクローズド加入者グループを識別する情報を含んでいる方法が提供されている。
【０００８】
メッセージはさらに、１つ以上のクローズド加入者セルに割振られたベアラ、切換えられるべき無線アクセス・ベアラについての情報、ベアラ・タイプ情報、ダウンリンク・トンネル・エンドポイント、ＵＥがシングル・コネクティビティ・モードかまたはデュアル・コネクティビティ・モードであるかを標示する情報、アクセス・モード情報、クローズド加入者グループ情報およびクローズド加入者メンバーシップ・ステータス情報のうちの少なくとも１つを含み得る。
【０００９】
ベアラ・タイプ情報は、ベアラが二次セル・グループまたはスプリット・ベアラに割当てられるか否かを標示し得る。
【００１０】
アクセス・モード情報は、前記アクセス・モードがハイブリッド・アクセス・モードに設定されていることを標示し得る。
【００１１】
前記アクセス・モード情報、クローズド加入者グループ情報およびクローズド加入者メンバーシップ・ステータス情報のうちの少なくとも１つは、二次セル・グループに関係するものである。
【００１２】
メッセージは、パス切換え要求メッセージおよびＳ１メッセージのうちの少なくとも１つを含む。
【００１３】
この方法は、クローズド加入者セルにユーザー機器の更新済みメンバーシップを標示する更新情報を受信するステップを含む。
【００１４】
更新済みメンバーシップ・クローズド加入者セルは、マスター基地局または少なくとも１つの追加された基地局のものであり得る。
【００１５】
この方法は、ユーザー機器の更新済みメンバーシップと関連付けられたリソースを解放させるかまたは修正させるステップを含み得る。
【００１６】
リソースは、マスター基地局および少なくとも１つの二次基地局のうちの少なくとも１つのものであり得る。
【００１７】
この方法は、二次セル・グループの変更をひき起こすステップを含み得る。
【００１８】
更新情報は、更新済みメンバーシップについてのベアラまたはクローズド加入者グループを含み得る。
【００１９】
この方法は、前記更新情報を少なくとも１つの追加の基地局に提供するステップを含み得る。
【００２０】
この方法は、前記追加の基地局および現行基地局のクローズド加入者アイデンティティ情報を送信するステップと、前記追加の基地局の追加に先立ち追加された基地局のメンバーシップ・ステータスを受信するステップとを含み得る。
【００２１】
この方法は、装置により実施され得る。この装置は、基地局内にあり得る。
【００２２】
別の態様によると、追加された基地局に関連付けられたクローズド加入者グループを識別する情報を含むメッセージを受信するステップであって、前記追加された基地局が１つのユーザー機器について追加され、クローズド加入者セルを有する方法が提供されている。
【００２３】
この方法は、クローズド加入者グループのユーザー機器のメンバーシップの変更を決定するステップと、ユーザー・コンテキスト修正要求を基地局に対し送信させるステップとを含み得る。
【００２４】
ユーザー・コンテキスト修正要求は、クローズド加入者グループメンバーシップ・ステータスおよび該クローズド加入者グループメンバーシップ・ステータスが関連付けられているセル・グループのうちの少なくとも１つを含み得る。
【００２５】
この方法は、前記ユーザー・コンテキスト修正要求が、クローズド加入者グループと関連付けられた前記ユーザー機器の１つ以上のリソースを解放しなかったことを決定するステップと、ベアラ修正またはベアラ解放またはユーザー機器解放メッセージを送信させるステップとを含み得る。
【００２６】
これは、メンバーシップ・ステータスおよびそれぞれの基地局と関連付けられた情報のうちの1つ以上に基づいて行なわれ得る。
【００２７】
この方法は、各ベアラについてのクローズド加入者情報を標示するＧＴＰメッセージを送信するステップを含み得る。
【００２８】
この方法は、ネットワーク・エンティティ内の装置により実施され得る。ネットワーク・エンティティは、移動性管理エンティティであり得る。
【００２９】
別の態様によると、ユーザー機器用にクローズド加入者セルを有する追加の基地局を追加したことに応答して、ネットワーク・エンティティに対しメッセージを伝送させるための手段を含む装置において、前記メッセージが前記追加の基地局と関連付けられたクローズド加入者グループを識別する情報を含んでいる、装置が提供されている。
【００３０】
メッセージはさらに、１つ以上のクローズド加入者セルに割振られたベアラ、切換えられるべき無線アクセス・ベアラについての情報、ベアラ・タイプ情報、ダウンリンク・トンネル・エンドポイント、ＵＥがシングル・コネクティビティ・モードかまたはデュアル・コネクティビティ・モードであるかを標示する情報、クローズド加入者グループ情報およびクローズド加入者メンバーシップ・ステータス情報のうちの少なくとも１つを含み得る。
【００３１】
アクセス・モード情報は、前記アクセス・モードがハイブリッド・アクセス・モードに設定されていることを標示し得る。
【００３２】
前記アクセス・モード情報、クローズド加入者グループ情報およびクローズド加入者メンバーシップ・ステータス情報のうちの少なくとも１つが、二次セル・グループに関係するものであり得る。
【００３３】
メッセージは、パス切換え要求メッセージおよびＳ１メッセージのうちの少なくとも１つを含み得る。
【００３４】
この装置は、クローズド加入者セルにユーザー機器の更新済みメンバーシップを標示する更新情報を受信するための手段を含み得る。
【００３５】
更新済みメンバーシップ・クローズド加入者セルは、マスター基地局または少なくとも１つの追加された基地局のものであり得る。
【００３６】
装置は、前記ユーザー機器の更新済みメンバーシップと関連付けられたリソースを解放させるかまたは修正させるための手段を含み得る。
【００３７】
リソースは、マスター基地局および少なくとも１つの二次基地局のうちの少なくとも１つのものであり得る。
【００３８】
装置は、二次セル・グループの変更をひき起こすための手段を含み得る。
【００３９】
更新情報は、更新済みメンバーシップについてのベアラまたはクローズド加入者グループを含み得る。
【００４０】
この装置は、前記更新情報を少なくとも１つの追加の基地局に提供するための手段を含み得る。
【００４１】
この装置は、前記追加の基地局および現行基地局のクローズド加入者アイデンティティ情報の送信をひき起こし、前記追加の基地局の追加に先立ち前記追加された基地局のメンバーシップ・ステータスを受信するための手段を含み得る。
【００４２】
この装置は、基地局内にあり得る。
【００４３】
別の態様によると、追加された基地局に関連付けられたクローズド加入者グループを識別する情報を含むメッセージを受信するための手段を含む装置であって、前記追加された基地局が１つのユーザー機器について追加され、クローズド加入者セルを有している装置が提供されている。
【００４４】
この装置は、クローズド加入者グループのユーザー機器のメンバーシップの変更を決定し、ユーザー・コンテキスト修正要求を基地局に対し送信させるための手段を含み得る。
【００４５】
ユーザー・コンテキスト修正要求は、クローズド加入者グループメンバーシップ・ステータスおよび該クローズド加入者グループメンバーシップ・ステータスが関連付けられているセル・グループのうちの少なくとも１つを含み得る。
【００４６】
装置は、前記ユーザー・コンテキスト修正要求が、前記クローズド加入者グループと関連付けられた前記ユーザー機器の１つ以上のリソースを解放しなかったことを決定し、ベアラ修正またはベアラ解放またはユーザー機器解放メッセージを送信させるための手段を含み得る。
【００４７】
これは、メンバーシップ・ステータスおよびそれぞれの基地局と関連付けられた情報のうちの１つ以上に基づいて行なわれ得る。
【００４８】
この装置は、各ベアラについてのクローズド加入者情報を標示するＧＴＰメッセージを送信させるための手段を含み得る。
【００４９】
この装置は、ネットワーク・エンティティ内にあり得る。ネットワーク・エンティティは、移動性管理エンティティであり得る。
【００５０】
別の態様によると、少なくとも１つのプロセッサと、１つ以上のプログラムのためのコンピュータ・コードを含む少なくとも１つのメモリとを備える装置において、少なくとも１つのメモリおよびコンピュータ・コードが、少なくとも１つのプロセッサを用いて、装置に、少なくとも、ユーザー機器用にクローズド加入者セルを有する追加の基地局を追加したことに応答してネットワーク・エンティティに対しメッセージを伝送させるように構成されており、前記メッセージが、前記追加の基地局と関連付けられたクローズド加入者グループを識別する情報を含んでいる、装置が提供されている。
【００５１】
メッセージはさらに、１つ以上のクローズド加入者セルに配分されたベアラ、切換えられるべき無線アクセス・ベアラについての情報、ベアラ・タイプ情報、ダウンリンク・トンネル・エンドポイント、ＵＥがシングル・コネクティビティ・モードかまたはデュアル・コネクティビティ・モードであるかを標示する情報、アクセス・モード情報、およびクローズド加入者グループ情報およびクローズド加入者メンバーシップ・ステータス情報のうちの少なくとも１つを含み得る。
【００５２】
アクセス・モード情報は、前記アクセス・モードがハイブリッド・アクセス・モードに設定されていることを標示し得る。
【００５３】
クローズド加入者グループ情報は、二次セル・グループ。クローズド加入者アイデンティティ情報を含み得る。
【００５４】
メッセージは、パス切換え要求メッセージおよびＳ１メッセージのうちの少なくとも１つを含み得る。
【００５５】
少なくとも1つのメモリおよびコンピュータ・コードは、少なくとも1つのプロセッサを用いて、更新済みメンバーシップについてのベアラまたはクローズド加入者グループを含む更新情報を受信するように構成され得る。
【００５６】
更新済みメンバーシップ・クローズド加入者セルは、マスター基地局または少なくとも１つの追加された基地局のものであり得る。
【００５７】
少なくとも1つのメモリおよびコンピュータ・コードは、少なくとも1つのプロセッサを用いて、前記ユーザー機器の更新済みメンバーシップと関連付けられたリソースを解放させるかまたは修正させるように構成され得る。
【００５８】
リソースは、マスター基地局および少なくとも１つの二次基地局のうちの少なくとも１つのものであり得る。
【００５９】
少なくとも１つのメモリおよびコンピュータ・コードは、少なくとも１つのプロセッサを用いて、二次セル・グループの変更をひき起こすように構成され得る。
【００６０】
更新情報は、ユーザー機器コンテキスト修正のメッセージ内で受信され得る。
【００６１】
少なくとも１つのメモリおよびコンピュータ・コードは、少なくとも１つのプロセッサを用いて、前記更新情報を少なくとも１つの追加の基地局に提供するように構成され得る。
【００６２】
少なくとも１つのメモリおよびコンピュータ・コードは、少なくとも１つのプロセッサを用いて、前記追加の基地局および現行基地局のクローズド加入者アイデンティティ情報の送信をひき起こし、前記追加の基地局の追加に先立ち前記追加された基地局のメンバーシップ・ステータスを受信するステップを含むように構成され得る。
【００６３】
装置は、基地局内にあり得る。
【００６４】
別の態様によると、少なくとも1つのプロセッサと、１つ以上のプログラムのためのコンピュータ・コードを含む少なくとも１つのメモリとを備える装置において、前記少なくとも１つのメモリおよび前記コンピュータ・コードが、前記少なくとも１つのプロセッサを用いて、前記装置に少なくとも、メッセージを受信させるように構成されており、前記メッセージが、前記追加された基地局と関連付けられたクローズド加入者グループを識別する情報を含み、前記追加された基地局が、ユーザー機器のために追加されクローズド加入者セルを有している、装置が提供されている。
【００６５】
少なくとも１つのメモリおよびコンピュータ・コードは、少なくとも１つのプロセッサを用いて、クローズド加入者グループのユーザー機器のメンバーシップの変更を決定し、ユーザー・コンテキスト修正要求を基地局に対し送信させるように構成され得る。
【００６６】
ユーザー・コンテキスト修正要求は、クローズド加入者グループメンバーシップ・ステータスおよび該クローズド加入者グループメンバーシップ・ステータスが関連付けられているセル・グループのうちの少なくとも１つを含み得る。
【００６７】
少なくとも１つのメモリおよびコンピュータ・コードは、少なくとも１つのプロセッサを用いて、前記ユーザー・コンテキスト修正要求がクローズド加入者グループと関連付けられた前記ユーザー機器の１つ以上のリソースを解放しなかったことを決定し、ベアラ修正またはベアラ解放またはユーザー機器解放メッセージを送信させるように構成され得る。
【００６８】
これは、メンバーシップ・ステータスおよびそれぞれの基地局に関連付けられた情報のうちの1つ以上に基づいて行なわれ得る。
【００６９】
少なくとも１つのメモリおよびコンピュータ・コードは、少なくとも１つのプロセッサを用いて、各ベアラについてのクローズド加入者情報を標示するＧＴＰメッセージを送信させるように構成され得る。
【００７０】
装置は、ネットワーク・エンティティ内にあり得る。ネットワーク・エンティティは、移動性管理エンティティであり得る。
【００７１】
プロセッサ内にロードされたときプロセッサを制御して方法を実施するプログラム・コード手段を含むコンピュータ・プログラム製品も同様に提供されている。
【００７２】
以下の詳細な説明および添付の請求の範囲には、さまざまな他の態様およびさらなる実施形態も同様に説明されている。
【００７３】
ここで、単なる一例として、以下の実施例および添付図面を参照しながらいくつかの実施形態についてさらに詳述する。
【図面の簡単な説明】
【００７４】
【図１】いくつかの実施形態に係るネットワークの概略図を示す。
【図２】いくつかの実施形態に係る移動体通信デバイスの概略図を示す。
【図３】いくつかの実施形態に係る制御装置の概略図を示す。
【図４】いくつかの実施形態に係る方法のシグナリング図を例示する。
【図５】いくつかの実施形態に係る方法のシグナリング図を例示する。
【図６】いくつかの実施形態に係るシグナリング図を例示する。
【発明を実施するための形態】
【００７５】
例示的実施形態について詳しく説明する前に、記載されている実施例の基本的技術の理解を助けるために、無線通信システムおよび移動体通信デバイスのいくつかの一般的原則について、図１〜３を参照しながら簡単に説明する。
【００７６】
無線通信システムにおいて、移動体通信デバイスまたはユーザー機器（ＵＥ）１０２、１０３、１０５には、少なくとも１つの基地局または類似の無線伝送および／または受信ノードまたはポイントを介して、無線アクセスが備えられている。基地局は典型的に、その動作および基地局と通信状態にある移動体通信デバイスの管理を有効化するため、少なくとも１つの適切なコントローラ装置によって制御される。コントローラ装置は、基地局の一部を成し、また、無線ネットワーク・コントローラなどの別個のエンティティによって提供され得る。図１には、それぞれのマクロレベル基地局１０６および１０７を制御するための制御装置１０８および１０９が示されている。基地局の制御装置は、他の制御エンティティと相互接続され得る。制御装置および機能は、複数の制御ユニットの間で分配され得る。いくつかのシステムでは、制御装置は、無線ネットワーク・コントローラ内に付加的にまたは代替的に備えることができる。
【００７７】
しかしながら、ＬＴＥシステムは、ＲＮＣを備えることなく、いわゆる「フラットな」アーキテクチャを有するものとみなすことができる。むしろ（ｅ）ＮＢは、システム・アーキテクチャ・エボリューション・ゲートウェイ（ＳＡＥ−ＧＷ）および移動性管理エンティティ（ＭＭＥ）と通信状態にあり、これらのエンティティをプールすることもできる。すなわち複数のこれらのノードは複数の（１組の）（ｅ）ＮＢにサービス提供できる。各ＵＥは一度に１つのみのＭＭＥおよび／またはＳ−ＧＷによるサービス提供を受け、（ｅ）ＮＢは現行の関連付けをトラッキングする。ＳＡＥ−ＧＷは、Ｓ−ＧＷおよびＰ−ＧＷ（それぞれ、サービング・ゲートウェイおよびパケット・データ・ネットワークゲートウェイ）で構成され得るＬＴＥ内の「高レベル」ユーザー・プレーン・コア・ネットワーク素子である。Ｓ−ＧＷおよびＰ−ＧＷの機能性は分離され、コロケートされることを求められていない。
【００７８】
図１において、基地局１０６および１０７は、ゲートウェイ１１２を介してより広い通信ネットワーク１１３に接続されたものとして示されている。別のネットワークに接続するために、さらなるゲートウェイ機能が提供され得る。
【００７９】
より小さい基地局１１６、１１８および１２０も同様に、例えば別個のゲートウェイ機能によっておよび／またはマクロレベルの局のコントローラを介して、ネットワークに接続され得る。実施例中、局１１６および１１８は、ゲートウェイ１１１を介して接続されており、一方局１２０はコントローラ装置１０８を介して接続する。いくつかの実施形態では、より小さい局は提供されていない。より小さい基地局は、フェムトセル、ピコセル、マイクロセルなどを提供し得る。ネットワーク内のセルの１つ以上がクローズド加入者グループを有することができ、これは、いくつかのデバイスのみがこのセルを使用できることを意味している。ＣＳＧセルは、ＣＳＧセルのメンバーであるＵＥによってのみアクセス可能であるクローズド・アクセスモード・セルである。オープン・セルは、全てのＵＥによりアクセス可能である。ハイブリッド・セルは、ハイブリッド・アクセスモード・セルである。それは全てのＵＥによりアクセス可能であり得るが、同時に、ハイブリッド・セルのメンバーであるＵＥには高品質のサービスも提供することができる。
【００８０】
ここで、可能な通信デバイスについて、１つの通信デバイス１０２の部分的に断面図になった概略図を示す図２を参照しながら、さらに詳しく説明する。このような通信デバイスは多くの場合、ユーザー機器（ＵＥ）または端末と呼ばれている。無線信号を送信し受信することのできる任意のデバイスによって適切な通信デバイスを提供することができる。非限定的例としては、移動局（ＭＳ）またはモバイル・デバイス、例えば携帯電話または「スマートホンとして公知のもの、無線インターフェース・カードまたは他の無線インターフェース機能実装（例えばＵＳＢドングル）を備えたコンピュータ、無線通信能力を備えた携帯情報端末（ＰＤＡ）またはタブレット、またはこれらの任意の組合せなどがある。通信デバイスは、例えば、音声、電子メール（Ｅメール）、テキストメッセージ、マルチメディアなどの通信を搬送するためのデータの通信を提供し得る。こうして、ユーザーには、自らの通信デバイスを介して、多くのサービスがオファーされ提供され得る。これらのサービスの非限定的例としては、双方向または多方向呼出し、データ通信またはマルチメディア・サービス、あるいは単純にインターネットなどのデータ通信ネットワーク・システムへのアクセスが含まれる。ユーザーは同様に、ブロードキャストまたはマルチキャスト・データの提供も受けることができる。コンテンツの非限定的例としては、ダウンロード、テレビおよびラジオ番組、ビデオ、広告、さまざまな警報、その他の情報がある。
【００８１】
デバイス１０２は、適切な受信装置を介して、エア・インターフェースまたは無線インターフェース上で信号を受信することができ、かつ無線信号を伝送するための適切な装置を介して信号を伝送することができる。図２では、送受信装置が、ブロック２０６により概略的に指定されている。送受信装置２０６は、無線部品および付随するアンテナ配置を用いて提供され得る。アンテナ配置は、デバイスの内部または外部に配置され得る。
【００８２】
デバイスは、典型的には、少なくとも１つのデータ処理エンティティ２０１、少なくとも１つのメモリ２０２、および、アクセス・システム、その他の通信デバイスへのアクセスおよびそれらとの通信の制御を含めた、デバイスが実施するように指定されたタスクのソフトウェアおよびハードウェアを援用した実行において使用するための他の可能なコンポーネント２０３が備えられている。データ処理、記憶、その他の制御装置は、適切な回路基板および／またはチップセット上に備えることができる。この機能は、２０４という番号で表わされている。ユーザーは、キーパッド２０５、音声コマンドタッチセンサースクリーンまたはパッド、それらの組合せなどの好適なユーザーインターフェースを用いて、デバイスの動作を制御することができる。ディスプレー２０８、スピーカーおよびマイクロホンを備えることも同様に可能である。さらに、通信デバイスは、他のデバイスに対するおよび／または例えばハンズフリー機器などの外部アクセサリーをそれに接続するための適切なコネクタ（有線または無線）を含むことができる。
【００８３】
通信デバイス１０２、１０３、１０５は、符号分割多重アクセス（ＣＤＭＡ）または広帯域ＣＤＭＡ（ＷＣＤＭＡ（登録商標））などのさまざまなアクセス技術に基づいて通信システムにアクセスすることができる。他の非限定的例としては、時分割多重アクセス（ＴＤＭＡ）、周波数分割多重アクセス（ＦＤＭＡ）およびそのさまざまなスキーム、例えばインターリーブ周波数分割多重アクセス（ＩＦＤＭＡ）、シングル・キャリア周波数分割多重アクセス（ＳＣ−ＦＤＭＡ）および直交周波数分割多重アクセス（ＯＦＤＭＡ）、空間分割多重アクセス（ＳＤＭＡ）などが含まれる。
【００８４】
無線通信システムの一例は、第３世代パートナーシップ・プロジェクト（３ＧＰＰ）によって規格化されたアーキテクチャである。最新の３ＧＰＰベースの開発は、多くの場合、ユニバーサル・モバイル・テレコミュニケーション・システム（ＵＭＴＳ）無線アクセス技術のロング・ターム・エボリューション（ＬＴＥ）と呼ばれる。３ＧＰＰ仕様のさまざまな開発段階はリリースと呼ばれる。ＬＴＥのより最近の開発は、多くの場合ＬＴＥアドバンスト（ＬＴＥ−Ａ）と呼ばれる。ＬＴＥは、進化型ユニバーサル地上無線アクセスネットワーク（Ｅ−ＵＴＲＡＮ）として公知である移動体アーキテクチャを利用する。このようなシステムの基地局は、進化型またはエンハンスト・ノードＢ（ｅＮＢｓ）として公知である。無線アクセス・システムの他の例としては、無線ローカル・エリア・ネットワーク（ＷＬＡＮ）および／またはＷｉＭａｘ（ワールドワイド・インターオペラビリティ・フォー・マイクロウェーブ・アクセス）などの技術に基づくシステムの基地局によって提供されるものが含まれる。
【００８５】
図３は、制御装置３００の一例を示す。この制御装置は、基地局、ＭＭＥ、Ｓ−ＧＷ、Ｐ−ＧＷまたは他の任意の適切なエンティティのうちの１つ以上の中に備えることができる。制御装置は、制御機能を提供するように構成され得る。このために、制御装置は、少なくとも１つのメモリ３０１、少なくとも１つのデータ処理ユニット３０２、３０３および入出力インターフェース３０４を含む。インターフェースを介して、制御装置は、データを受信し、提供するために結合され得る。制御装置は、制御機能を提供するために適切なソフトウェアコードを実行するように構成され得る。
【００８６】
移動体通信デバイスは、時に１つの基地局のカバレッジ・エリアから別の基地局のカバレッジ・エリアまで移動する。移動体通信デバイスの通信を制御することは、移動性管理として公知である。移動性管理は、一定のエリア内で移動するアクティブ移動体デバイスの制御を提供する。セルラー・システムにおいて、移動性管理は、特定の制御エンティティによって提供される。例えば、ＬＴＥにおいて、各アクセス・システムには、移動性管理エンティティＭＭＥが備えられる。ＭＭＥ制御ノードは、なかでも、再伝送を含めたアイドル・モードユーザー機器トラッキングおよびページングプロシージャ、ベアラ活動化／非活動化プロセス、およびコアネットワーク（ＣＮ）ノードリロケーションが関与するイントラ−ＬＴＥハンドオーバーの時点および初期アタッチにおけるユーザー機器のためのサービング・ゲートウェイ（ＳＧＷ）の選択に関与することができる。
【００８７】
いくつかの実施形態は、デュアル・コネクティビティ・オペレーションにおけるＣＳＧサポートに関する。ＵＥおよびネットワークがデュアル・コネクティビティ能力を有する場合、接続のＳＣＧ（二次セル・グループ）としてＣＳＧセルを追加することが可能である。二次セル・グループは、二次ｅＮＢ（ＳｅＮＢ）と関連付けられたサービング・セルのグループである。ＳｅＮＢは、ＵＥのためのリソースを提供するデュアル・コネクティビティ状態にあるｅＮＢであり、マスターｅＮＢ（ＭｅＮＢ）ではない。マスター・セルグループＭＣＧは、ＭｅＮＢと関連付けられたサービング・セルのグループである。
【００８８】
１つのセルだけが異なるＣＳＧを有する２つのセル全体にわたりデュアル接続を有するＵＥの場合、アクセス制御およびメンバーシップ失効などの問題を、シングル・コネクティビティの場合の方法とは異なる方法で取扱う必要がある。
【００８９】
デュアル・コネクティビティでは、ＵＥは２つのスケジューラによるサービス提供を受け、その一方はＭｅＮＢから、他方はＳｅＮＢからのサービス提供である。いくつかのＥＲＡＢ（ＥＰＳ（進化型パケットシステム）無線アクセス・ベアラ）がＭｅＮＢ内で終結され、いくつかのＥＲＡＢがＳｅＮＢで直接終結されることが可能である。このタイプのベアラ分配は、いくつかの規格ではユーザー・プレーン・オプション１Ａと呼ばれている。いくつかの場合において、ベアラはＭｅＮＢで終結されているが、このベアラはＰＤＣＰレベルで分割され、両方のノードにおいてＲＬＣ（無線リンク制御）を用いる。このオプションは、ユーザー・プレーン・オプション３Ｃである。
【００９０】
現在、ＣＳＧ  ＳｅＮＢがＵＥに追加される場合つねに、パス切換えメッセージまたはＳ１メッセージが必要とされる。Ｓ１は、オプション１ＡのためのコアとｅＮＢの間のインターフェースである。これは、このメッセージが、ＵＥデュアル・コネクティビティにおけるＣＳＧセルの包含を通知するために使用されるからである。いくつかの実施形態は同様に、オプション３Ｃのためにこのようなメッセージを使用し得る。
【００９１】
いくつかの実施形態は、ＭＭＥに対してＣＳＧ  ＩＤおよび／またはＣＳＧ  ＳｅＮＢに向かってのＵＥのアクセス・モードを標示するためにＭｅＮＢによって使用されるシグナリングを提供する。いくつかの実施形態においては、ＭｅＮＢがＭＭＥに対してＣＳＧ  ＩＤおよび新たに追加されたＣＳＧ  ＳｅＮＢのためのＵＥのアクセス・モードを標示できるようにするため、パス切換えプロシージャが使用される。この実施形態は、ＭｅＮＢがオープンである場合に適切であり得る。ＭｅＮＢがＣＳＧである場合、ＳｅＮＢのＣＳＧ  ＩＤのためにメッセージを提供することができる。これは、Ｓ１メッセージ内にあり得る。
【００９２】
最初に、ＳＣ（シングル・コネクティビティ）におけるＣＳＧについて説明する。ＣＳＧセルに向かっての移動性のためには、システム内でＣＳＧセルが展開される場合、マクロ・セルがそのＣＳＧ−ＰＳＣ（プライマリ・スクランブリング・コード）リストをＵＥに向かってＳＩ（システム情報）を介して通知することが提案されてきた。ＣＳＧ可能なＵＥは、測定制御メッセージを介してＣＳＧ−近接性標示を報告するために構成され得る。これにより、ＵＥは測定レポートを介してその近接性を報告できることになる。
【００９３】
ひとたび近接性が報告され、測定レポート内でＣＳＧ−ＰＣＩに対応するいかなるＰＣＩ（物理的セル・アイデンティティ）も報告されない場合、ｅＮＢは、このＰＣＩのためのＳＩと共にＣＧＩレポーティングを要求する。ＵＥのレポートされた情報に基づいて、ＣＳＧメンバーシップが知られ、ｅＮＢはハンドオーバー・プロシージャをトリガーすることができる。Ｓ１ベースのハンドオーバーの場合、ＣＮ（コアネットワーク）は、標的−セルのＣＳＧ−ＩＤおよびそのＵＥメンバーシップをチェックし、許可されない場合、リロケーションは拒否される。
【００９４】
Ｘ２のベースのハンドオーバーの場合、リロケーションは、最初に、パス切換えプロシージャの一部として実行され、ＣＮはメンバーシップを確認する。標的ＣＳＧ−ＩＤについてのメンバーシップが全く存在しない場合、標的ノードがＵＥのハンドオーバーまたは解放などのあるアクションを取るのを待つあるタイムアウトの後に、ＣＮは、ＵＥコンテキストを解放する。
【００９５】
ＣＳＧセルに対するＵＥのアクセスのためには、ＵＥ  ＣＳＧ加入リストに基づいて、ＵＥは、ＣＳＧセルにアクセスする。手動式ＣＳＧ選択の場合、ＵＥは、加入更新のためのＣＳＧセルを介してアタッチ／トラッキング・エリア更新を送り、ロケーション更新が受諾された場合、このＣＳＧセルは、ＳＣＧメンバーシップ・ステータスのＵＥ  ＣＳＧリスト内に含む。
【００９６】
ＣＳＧセルについてのＵＥのメンバーシップが失効しているかまたはオペレータがＵＥリストからＣＳＧセルを除去した場合、ＣＮにそのことが知らされる。ＵＥについての進行中のアクティブＳ１が存在する場合、ＣＮはｅＮＢにメンバーシップ・ステータスの変更について通知し、ｅＮＢがその呼出しを他の好適なセルにハンドオーバーするのを予期する。特定の時間内にハンドオーバーが実行されない場合、ＭＭＥは、ＵＥコンテキストのリリースをトリガーし得る。標的セルがハイブリッド・セルである場合、ＣＮは、ＵＥコンテキストの修正を介してメンバーシップ・ステータスの変更を送り、ｅＮＢは最新のメンバーシップ・ステータスの通り、リソース割当てを変更する。この場合、ＭＭＥからそれ以上のアクションは全く無く、すなわちＵＥコンテキストの解放は全く無い。
【００９７】
ＵＥおよびネットワークがデュアル・コネクティビティの能力を有する場合、接続のＳＣＧ（二次グループセル）としてＣＳＧセルを追加することが可能である。ＵＥが２つのセル上で接続を有し、１つのセルが異なるＣＳＧを有する場合、アクセス制御およびメンバーシップ・ステータス失効を、シングル・コネクティビティの場合とは異なる方法で取扱う必要がある。
【００９８】
いくつかの実施形態は、ＵＥがオープン・アクセスでＭｅＮＢ（マスターｅＮＢ）とＵＥの接続を開始しＳＣＧとしてＣＳＧセルを追加するシナリオに対処する場合がある。いくつかの実施形態は、ＵＥがＣＳＧセルでＭｅＮＢとＵＥの接続を開始しており、デュアル接続のＳＣＧとして異なるＣＳＧセルを追加するシナリオに対処する可能性がある。
【００９９】
いくつかの実施形態は、ＣＳＧセルの包含およびＵＥコンテキストの修正を取扱うために、既存のパス切換えプロシージャを使用し得る。いくつかの実施形態は、ＳＣＧ追加／リリース事象を更新するためにＭＭＥに向かってＳ１プロシージャを使用する場合があり、このプロシージャの１つ以上のメッセージは、デュアル・コネクティビティＵＥの場合にＭＭＥがＣＳＧを取扱うための情報を含み得る。ＭｅＮＢはオープンであり得る。ＳｅＮＢはＣＳＧである。
【０１００】
ＲＲＣ接続のＰＣｅｌｌ（プライマリ・セル）をＭＣＧ内に包含することができる。
【０１０１】
いくつかの実施形態は、ＭｅＮＢに対するＣＳＧ−ＩＤ情報を更新するためにパス切換えプロシージャを使用し得る。
【０１０２】
いくつかの実施形態において、ＣＳＧセルであり同様にデュアル・コネクティビティ・モードでもＵＥにサービス提供する予定のＳｅＮＢ（二次ｅＮＢ）をＭｅＮＢが追加できた場合にはつねに、ＭｅＮＢは、パス切換え要求メッセージ（ＰＡＴＨ−ＳＷＩＴＣＨ−ＲＥＱ）メッセージをコアネットワークＣＮに送る。このメッセージは、ＳＣＧのＣＳＧアイデンティティ（ＣＳＧ−ＩＤ）を含むことができ、アクセス・モードはハイブリッドに設定される。アクセス・モードは、ＳｅＮＢのＣＳＧ−ＩＤに基づいてＣＮにより開始されるＵＥコンテキストのリリースをことごとく回避するために、ハイブリッドに設定される。
【０１０３】
ハイブリッドに設定されたアクセス・モードと共にＣＳＧ−ＩＤを受信した時点で、ＭＭＥは、ＵＥがその接続をハイブリッド・セルに切換えたとみなす。このＣＳＧについてＵＥのメンバーシップが失効した場合はつねに、ＭＭＥは、例えばＵＥコンテキスト修正プロシージャを介してＭｅＮＢに通知する。
【０１０４】
メンバーシップ・ステータスの変更を受信した時点で、ＭｅＭＢは、現行のＳｅＮＢ内のリソースを解放しＵＥをＭｅＭＢに戻すようにまたは別の好適なＳｅＮＢへと移動させるためのアクションを取る。
【０１０５】
ＭｅＮＢが既存のパス切換えプロシージャを用いてＭＭＥにＳＣＧのＣＳＧ−ＩＤを通知する１つの実施形態における信号の流れを示す図４を参照する。ＭｅＮＢは、ハイブリッドとしてパス切換えメッセージ内にアクセス・モード・パラメータを含む。
【０１０６】
ステップＳ１では、ＵＥから測定レポートなどのイベントを受取った時点で、ＭｅＮＢは、ＳＣＧ追加プロシージャを開始して、ＵＥのためのＳＣＧの第１のセルを追加する。メッセージは、ＳｅＮＢによる再構成のための基礎としてＵＥ能力のコーディネーションを使用するためのＭＣＧ構成を含み得る。ＳｅＮＢは、ＳＣＧをそのオペレーションのために使用するように構成されたＳＣＧベアラと共にＵＥに対してＳＣＧ（二次セル・グループ）としてそのＳＣｅｌｌを含むためのＲＲＣ再構成メッセージを送る。
【０１０７】
ステップＳ２では、ＭｅＮＢは、追加された新しいＳＣＧをＵＥが有することをＭＭＥに通知するためにパス切換え要求プロシージャを開始する。パス切換え要求メッセージはＣＳＧアイデンティティ（ＣＤ）を含み、ハイブリッドに設定されたアクセス・モードを有することができる。
【０１０８】
ステップＳ３では、ＭＭＥは、ＭＭＥからＭｅＮＢへのパス切換え肯定応答を送る。これはＣＳＧメンバーシップ・ステータスを含む。
【０１０９】
ステップＳ４では、ＭＭＥは、ＵＥメンバーシップがＣＳＧ−ＩＤについて変更したことを決定し、ＵＥコンテキスト修正をトリガーする。
【０１１０】
ステップＳ５では、ＭＭＥは、１つのＣＳＧメンバーシップ・ステータスを有するＵＥコンテキスト修正メッセージ要求を送る。
【０１１１】
ステップＳ６において、メンバーシップが非メンバーに変化した場合、ＭｅＮＢは全てのベアラに対してＳＣＧリソースを解放するかまたは、ベアラを別の好適なＳＣＧに変更するかまたはベアラをＭｅＮＢに戻るように移動させることができる。
【０１１２】
上述の実施形態では、ＣＮは、ＵＥが、ハイブリッドであるアクセス・モードを有するＣＳＧセルを介して接続されていることを仮定する。ＣＮは、ＵＥの現行セルがハイブリッドであることを仮定していることから、いかなる時点でもＵＥコンテキストの解放を始めない。その代り、ＣＮは、ＵＥコンテキスト修正プロシージャを介してＭｅＮＢへのメンバーシップ・ステータス変更しか更新しない。ＭｅＮＢは、ＵＥのステータスを非メンバーとなるように変更するＣＮからのＣＳＧ−メンバーシップ・ステータスを受信した場合、ＳＣＧ変更またはＳＣＧ解放などのアクションを取る。ＳｅＮＢがハイブリッド・セルである場合、ＭｅＮＢは以下のアクションを取ることができる。メンバーシップ失効情報を受信した時点で、ＭｅＮＢは、ＳｅＮＢへメンバーシップ情報の変更を渡す。ＳｅＮＢは、ここで、その内部ポリシーに基づいて、非メンバーとしてこのＵＥに対するリソース優先配分を修正するためのアクションを取ることができる。
【０１１３】
非ＣＳＧの場合についてのＭｅＮＢからＳｅＮＢへとユーザー・プレーン・オプション１Ａがダウンリンク・エンドポイントを変更するためには、パス切換えが必要であり得る。ＳＣＧがＣＳＧセルである場合には、ユーザー・プレーン・オプション３Ｃ（スプリット・ベアラ・ケース）が同様にＵＥコンテキストのためのＣＳＧの包含についてＣＮに通知するためにパス切換えが使用される。
【０１１４】
この実施形態には、ＣＳＧセルに関係するアクセス制御アクションのために既存のパス切換えプロシージャ自体を使用することができるという利点があり得る。
【０１１５】
別の実施形態では、これは、ベアラについての１つ以上のパラメータがＳＣＧに対しマッピングしている状態で、ＣＳＧでのＳＣＧの追加についてＭＭＥに通知するためのＳ１プロシージャであり得る。
【０１１６】
ＳＣＧの追加を完了できた時点で、ＭｅＮＢは、ＭＭＥに対し、ダウンリンク・トンネル・エンドポイントの変更を通知するメッセージを送る。このメッセージはＳ１メッセージ、例えば追加要求メッセージであり得る。これは、ＭＣＧベアラがＳＣＧ追加の一部としてＳＣＧまで移動させられる場合に実施され得る。これは、非スプリット・ベアラ・ケースであるユーザー・プレーン・オプション１Ａのために使用され得る。このステップは、ＳＣＧがＣＳＧでない場合、スプリット・ベアラにとっては不必要であり得る。
【０１１７】
ＳＣＧがＣＳＧセルである場合、ベアラのタイプの如何に関わらず、Ｓ１  ＳＣＧ追加要求メッセージが送信され得る。ベアラは、専用ベアラまたはスプリット・ベアラであり得る。この実施形態において、メッセージは、ＳＣＧのＣＳＧ関連情報と共にＳＣＧに対しマッピングされた専用ベアラおよび／またはスプリット・ベアラなどのパラメータを含み得る。したがってＭＭＥは、正しいＣＳＧ課金についてＰＧＷに通知するために作用する。ＭＭＥは、どのベアラがＳｅＮＢのＣＳＧおよび／またはＭｅＮＢのＣＳＧに関係するかに関してＳＧＷに通知し、ＳＧＷはＰＧＷに通知する。シングル・コネクティビティにおいて、全てのＥＰＳベアラは、ＣＳＧセルに関係しているが、デュアル・コネクティビティ・においては、いくつかのＥＰＳベアラはＭｅＮＢ（例えばＣＳＧ１）に関係し、いくつかのＥＰＳベアラはＳｅＮＢ（例えばＣＳＧ２）に関係する。
【０１１８】
ＭＭＥは、ＵＥメンバーシップが失効するかまたはＣＳＧのために除去された場合、ＣＳＧセルにマッピングされたベアラに基づいてアクションをとり得る。ＭＭＥは、ＳＣＧベアラに対応するＥＲＡＢの解放をトリガーし得る。スプリット・ベアラが配分されている場合、ＭＭＥはベアラをＭＣＧベアラであることからリリースするためのＭｅＮＢに対するＥＲＡＢ修正メッセージをトリガーする。
【０１１９】
ユーザー・プレーン・オプション１Ａについては、第１にＭＭＥは、ＭｅＮＢに対しメンバーシップの変更を標示する。ＭｅＮＢは、ベアラをＭｅＮＢまたは任意の他の非ＣＳＧＳｅＮＢまで戻るように移動させるかまたはＵＥを１つ以上の他のセルにハンドオーバーするものと予期される。タイマーが終了した時点で、ＳＣＧベアラがＣＳＧセル上でアクティブにとどまる場合、ＮｅＮＢはＲＡＢ解放を開始してＵＥコンテキスト解放の代りにこれらのベアラを単独で解放する。
【０１２０】
同様にして、ユーザー・プレーン・オプション３Ｃ（スプリット・ベアラ）については、ＭＭＥは最初に、ＭｅＭＢがアクションを取るように、メンバーシップ・ステータス変更を送信する。タイムアウト以前にいかなるアクションもとられない場合、ＭＭＥは、スプリット・ベアラを解放するためにＳ１メッセージを送る。
【０１２１】
この方法は、ＭｅＮＢが１つのＣＳＧ−ＩＤを有し、ＳｅＮＢが別のＣＳＧ−ＩＤを有するいくつかの実施形態において使用され得る。この実施形態では、ＳＣＧ追加要求の受信時点で、ＭＭＥは、ＵＥが２つの異なるＣＳＧとのデュアル・コネクティビティを有することを知っている。この場合、ＭＭＥは、どのＣＳＧが失効したＣＳＧメンバーシップ・ステータスに関係しているかに基づいて異なるアクションを取る。メンバーシップがＳＣＧ  ＣＳＧについて失効した場合、上述の同じアクションを適用することができる。ＭＣＧについてのメンバーシップが失効しハンドオーバーなどのいかなるアクションもＭｅＮＢからトリガーされなかった場合、ＭＭＥはＳ１解放を開始する。
【０１２２】
ＭＣＧまたはＳＣＧについてメンバーシップ失効が意図されているか否かをＭｅＮＢが識別できるようにするために、ＵＥコンテキスト修正メッセージには、関係するＣＳＧまたはメンバーシップ・ステータスの変更がＭＣＧまたはＳＣＧのいずれについてであるかを標示するために、追加のパラメータが含まれ得る。
【０１２３】
ＳＣＧの追加およびメンバーシップ変更の取扱いを示す図５の信号の流れを参照されたい。
【０１２４】
ステップＴ１では、ＳＣＧ追加プロシージャがＭｅＮＢとＳｅＮＢの間で開始される。
【０１２５】
ステップＴ２では、ＳＣＧ追加要求がＭｅＮＢから送信され、この要求は以下の追加情報を格納する。すなわち、ＤＬ−ＴＥＩＤ（ダウンリンク・トンネル・エンドポイント・アイデンティティ）変更のために切換えられるべきＥＲＡＢ、ＳＣＧのＣＳＧ−ＩＤ、いくつかの実施形態においてはハイブリッド・セルについてのみアクセス・モードが含まれ、および、ＳＣＧに割当てられるＲＡＢがＳＣＧベアラであるかスプリット・ベアラであるか、などの各ＲＡＢについてのベアラ分配の詳細である。クローズド・アクセスＣＳＧについては、アクセス・モード・パラメータは含まれていない場合がある。
【０１２６】
ステップＴ３において、このメッセージの受信時点で、ＭＭＥは、上述の情報に基づいてＭＣＧおよびＳＣＧを横断したベアラ分配を認識している。ＭＭＥは、ＳＣＧのＣＳＧについてメンバーシップのステータスを確認する。
【０１２７】
ステップＴ４において、ＭＭＥは、ＣＳＧメンバーシップのステータスと共にＳＣＧ追加肯定応答を送信する。
【０１２８】
追加されたセルがクローズド・モード・セルである場合、ステップＴ２〜Ｔ４がステップＴ１より前に実行される。
【０１２９】
ＭＭＥは同様に、追加されたＣＳＧ情報および正しいＣＳＧ課金のための関係するＥＰＳベアラについて、Ｓ−ＧＷ／Ｐ−ＧＷに通知する。これには、例えばセッション創成要素、ベアラ修正要求などのＧＴＰ−Ｃプロシージャのエンハンスメントが求められ。詳細には、個別のベアラ各々についてＣＳＧ情報が存在する。このＣＳＧ情報は、ＣＳＧアイデンティティ情報およびアクセス・モードを含み得る。
【０１３０】
ステップＴ５では、ＭＭＥは、ＵＥメンバーシップがＣＳＧについて失効したことを検出し、ＵＥコンテキスト修正をトリガーする。
【０１３１】
ステップＴ６では、ＧＳＧメンバーシップ・ステータスの失効時点で、ＭＭＥは、ＵＥコンテキスト修正要求メッセージを介してＭＣＧ修正についてＭｅＮＢに知らせる。既存のＵＥコンテキスト修正要求メッセージは、関連付けされたＣＳＧを含むように修正され得、あるいは別個のメッセージが送信され得る。
【０１３２】
ステップＴ７において、このメッセージに基づいていかなるアクションもとられない場合、ＭＭＥは、ベアラのタイプに応じてベアラのＳＣＧリソースの解放をトリガーする。
【０１３３】
ＳＣＧベアラの場合、次のステップはステップＴ８であり、ＭＭＥからＭｅＮＢにＥＲＡＢリリース・コマンドが送信される。
【０１３４】
スプリット・ベアラの場合、次のステップは、ステップＴ９であり、フラグ解放ＳＣＧと共にＭＭＥからＭｅＮＢに、Ｅ−ＲＡＢ修正要求が送信される。
【０１３５】
ここで、別の信号の流れを示す図７を参照する。ＵＥが２つの異なるＣＳＧセル上にデュアル・コネクティビティを有する場合には、ＭＣＧは、初期ＵＥメッセージプロシージャ内にＳＣＧ情報を含むことができ、あるいはＭＣＧは、アタッチの完了後にＳＣＧ追加プロシージャを開始することを選択できる。ＭｅＮＢおよびＳｅＮＢは、この実施形態において異なるＣＳＧを有する。
【０１３６】
ステップＡ１では、ＭＭＥとＭｅＮＢの間の通信が関与するＭｅＮＢを介して、初期Ｓ１コンテキストがセットアップされる。ＭＭＥは、ＭｅＮＢのＣＳＧアイデンティティを認識している。ステップＡ２では、ＭｅＮＢとＳｅＮＢの間にＳＣＧ追加プロシージャが存在する。
【０１３７】
ステップＡ３では、ＭｅＮＢからＭＭＥへのＳ１  ＳＣＧ追加要求が存在する。これは、ステップＴ２の追加要求と同じ情報を格納し得る。さらに、アクセス・モードおよびＣＳＧメンバーシップ・ステータスも提供され得る。ＭＭＥは、２つのＣＳＧ上で接続するものとしてＵＥをマーキングし得る。初期コンテキスト中に受信されたＣＳＧは、ＭＣＧ−ＣＳＧとして記憶される。追加要求を介して受信されたＣＳＧは、ＳＣＧ−ＣＳＧとしてマーキングされる。
【０１３８】
ステップＡ４において、ＭＭＥは、Ｓ１  ＳＣＧ追加肯定応答を送信する。
【０１３９】
追加されたセルがクローズド・モード・セルである場合、ステップＡ３およびＡ４は、ステップＡ２の前に実行され得る。
【０１４０】
ステップＡ５において、ＭＭＥは、いずれかのＣＳＧについてのＵＥメンバーシップの変更を検出した時点で、ＣＳＧメンバーシップ・ステータスＳＣＧまたはＭＣＧを伴うＵＥコンテキスト修正の送信をトリガーする。
【０１４１】
ステップＡ６では、ＵＥコンテキスト修正要求は、ＭＭＥからＭｅＮＢまで送信され、ＣＳＧメンバーシップ・ステータスがＭＣＧまたはＳＣＧに対応するという情報を有する。
【０１４２】
次のステップはステップＡ７である。ＭｅＮＢについてのＣＳＧメンバーシップ・ステータスの変更の場合、ＭｅＮＢは、ＵＥを他の好適なセルにハンドオーバーする決断を下すことができる。この時点で、ＭｅＮＢの実装が、代りにＳｅＮＢに向かってのハンドオーバーをトリガーすることができる。
【０１４３】
ＭｅＮＢがＳ１初期ＵＥメッセージの開始の前に標的ＳｅＮＢを知っていることは可能である。この場合、ＭｅＮＢは、初期ＵＥメッセージ自体の中にＳＣＧのＣＳＧ−ＩＤの詳細を含むことができる。この目的で、初期ＵＥメッセージは、追加情報ＣＳＧ情報ＳＣＧを含むことができる。Ｓ１−イニシャル−コンテキスト−セットアップ要求メッセージは、ＳＣＧのためのＣＳＧメンバーシップ・ステータスも含むことができる。
【０１４４】
この場合、ＭＭＥは、Ｓ１−イニシャル−コンテクスト−セットアップ−要求メッセージ内でＣＳＧのＣＳＧ−メンバーシップ・ステータスを送信することができる。メンバーシップ・ステータスが、ＵＥがＳＣＧセルについてメンバーでないことを標示した場合、ＭｅＮＢは、ＵＥコネクティビティのための追加についてこの基地局を考慮しない。
【０１４５】
ＭｅＮＢが、Ｓ１メッセージをサポートしないＭＭＥに接続する場合、ＭｅＮＢは、ＳｅＮＢのアクセス・モードを記憶することができるが、このアクセス・モードをＭＭＥに向けてハイブリッドとして送信する。
【０１４６】
こうして、いくつかの実施形態は、ＳＣＧのＣＳＧ−ＩＤを通知するためにパス切換えメッセージを使用することができ、ＭｅＮＢは、ＭＭＥ応答に基づいてアクションについての決断を下すことができる。
【０１４７】
こうして、いくつかの実施形態は、ＳＣＧのＣＳＧ−ＩＤを、それにマッピングされたベアラおよびスプリット・ベアラ情報と共に標示するために、Ｓ１メッセージを使用することができる。
【０１４８】
こうして、いくつかの実施形態では、２つのＣＳＧ上でのデュアル・コネクティビティの状況下で、ＭＭＥのアクションは、メンバーシップがＭＣＧについて失効するかまたはＳＣＧについて失効するかにより左右される。
【０１４９】
こうして、いくつかの実施形態は、メンバーシップ変更についてＰＧＷ／ＳＧＷを更新することができ、これは、ＵＥコンテキストについてではなく特定のベアラに関係し得る。
【０１５０】
こうして、いくつかの実施形態では、Ｓ１の初期ＵＥメッセージは、デュアルＣＳＧステータスについて知らせることができ、応答自体に基づいて、ＳＣＧを追加するか否かの決断を下すことができる。
【０１５１】
こうして、いくつかの実施形態では、メンバーシップ・ステータス変更メッセージは、異なるＣＳＧに関する（ＭｅＮＢおよびＳｅＮＢの両方についての）追加の情報を含み得る。
【０１５２】
こうしていくつかの実施形態では、ハイブリッドＳＣＧセルにおいてでさえ、ＭｅＮＢがメンバーシップ・ステータス変更を受信した場合、これはＳｅＮＢに通信され、ＳｅＮＢはリソースの優先順序をどのように付け直すかについてアクションを取ることができる。
【０１５３】
ＬＴＥアドバンストに関連して実施形態を説明してきたが、類似の原則を他の通信システムに適用することもできるという点が指摘される。したがって、以上では、無線ネットワーク、技術および規格のためのいくつかの例示用アーキテクチャを参考にして一例としていくつかの実施形態を説明してきたが、本明細書中で例示され説明されているもの以外の通信システムの任意の好適な形態に対して、実施形態を適用することができる。
【０１５４】
本明細書では同様に、以上では例示用実施形態について説明されているものの、本発明の範囲から逸脱することなく、開示された解決法に対し加えることのできる複数の変更および修正が存在するということも指摘される。
【０１５５】
基地局装置、移動体通信デバイスおよび任意の他の適切な局の求められるデータ処理装置および機能は、１つ以上のデータ・プロセッサを用いて提供され得る。
【０１５６】
流れ図の各ブロックおよびその任意の組合せが、ハードウェア、ソフトウェア、ファームウェア、１つ以上のプロセッサおよび／または回路などのさまざまな手段またはそれらの組合せによって実現され得るということを理解すべきである。以上で説明されている実施形態を実施するのに好適な装置は、概して、少なくとも１つのプロセッサ、コントローラ、または、制御機能を実施し少なくとも１つの内部または外部メモリ・ユニットおよびさまざまなインターフェースに対し作動的に結合されるように設計されたユニットを含むことができる。さらに、メモリ・ユニットは、揮発性および／または不揮発性メモリを含むことができる。メモリ・ユニットは、プロセッサが実施形態に係るオペレーションを実施するためのコンピュータ・プログラム・コードおよび／またはオペレーティング・システム、情報、データ、コンテンツなどを記憶することができる。メモリ・ユニットの各々は、ランダム・アクセス・メモリ、ハードドライブなどであり得る。メモリ・ユニットは、少なくとも部分的に取外し可能で、装置に対し着脱可能な形で作動的に結合され得る。メモリは、現行の技術的環境に好適な任意のタイプのものであり得、例えば半導体ベースの技術、フラッシュ・メモリ、磁気および／または光学メモリ・デバイスなどの任意の好適なデータ記憶技術を用いて実装され得る。
【０１５７】
本願装置は、少なくとも１つの演算プロセッサにより実行される算術演算または（追加されたまたは更新されたソフトウェアルーチンを含む）プログラムとして構成される少なくとも１つのソフトウェアアプリケーション、モジュール、ユニットまたはエンティティである。あるいは、それらを含むか、または、それらと関連付けされ得る。プログラム製品またはコンピュータ・プログラムとも呼ばれるプログラムは、ソフトウェアルーチン、アプレットおよびマクロを含み、任意の装置可読データ記憶媒体中に記憶されることができ、それらは、特定のタスクを実施するためのプログラム命令を含んでいる。コンピュータ・プログラム製品は、プログラムが実行された場合に実施形態を実施するように構成されている１つ以上のコンピュータ実行可能コンポーネントを含むことができる。１つ以上のコンピュータ実行可能コンポーネントは、少なくとも１つのソフトウェアコードまたはその一部分であり得る。
【０１５８】
これらの実施形態は、電子装置にロードされた場合、以上で説明した装置を構成するプログラム命令を含む配布媒体上に実施されコンピュータ・プログラムを提供する。配布媒体は、非一時的媒体であり得る。
【０１５９】
他の実施形態は、上述の方法の実施形態を実施するためのプロセッサを制御するように構成されたコンピュータ可読記憶媒体上に実施されたコンピュータ・プログラムを提供する。コンピュータ可読記憶媒体は、非一時的媒体であり得る。
【０１６０】
コンピュータ・プログラムは、ソースコード形態、オブジェクトコード形態またはいくつかの中間形態であり得、プログラムを搬送できる任意のエンティティまたはデバイスであり得る或る種のキャリア、配布媒体またはコンピュータ可読媒体の中に記憶され得る。このようなキャリアには、例えば、記録媒体、コンピュータメモリ、読取り専用メモリ、光電および／または電気キャリア信号、電気通信信号およびソフトウェア分配パッケージが含まれる。必要とされる処理パワーに応じて、コンピュータ・プログラムは単一の電子デジタルコンピュータ内で実行され得、あるいは一定数のコンピュータの間で分配される場合もある。コンピュータ可読媒体またはコンピュータ可読記憶媒体は、非一時的媒体であり得る。
【０１６１】
適切なデータ処理装置上にロードされた場合に実施形態を、あるいは、他の制御オペレーションを実現するために、適切に適応されたコンピュータ・プログラム・コード製品（単複）が使用され得る。オペレーションを提供するためのプログラム・コード製品は、適切なキャリア媒体上に記憶され、この媒体を用いて提供され実施され得る。コンピュータ可読記録媒体上に、適切なコンピュータ・プログラムを実施することができる。１つの可能性は、データネットワークを介してプログラム・コード製品をダウンロードすることである。概して、さまざまな実施形態を、ハードウェアまたは特殊用途回路、ソフトウェア、論理またはそれらの任意の組合せで実装することができる。本発明の実施形態は、こうして集積回路モジュールなどのさまざまなコンポーネント内で実施可能である。集積回路の設計は、概して極めて自動化されたプログラムである。論理レベルの設計を、半導体基板上で直接エッチングおよび形成できる状態の半導体回路設計へと変換するために、複雑かつ強力なソフトウェアツールが利用可能である。
【０１６２】
一実施形態の機能性を実現するのに必要とされる修正および構成は、追加されたまたは更新されたソフトウェアルーチンとして実現可能であるルーチン、応用回路（ＡＳＩＣ）および／またはプログラマブル回路として実施され得る。さらに、ソフトウェアルーチンは、１つの装置の中にダウンロードされ得る。ノードデバイスなどの装置または対応するコンポーネントは、コンピュータまたはマイクロプロセッサ、例えば単一チップコンピュータ素子として、または算術演算のために使用される記憶容量を提供するためのメモリおよび算術演算を実行するための演算プロセッサを少なくとも含むチップセットとして構成され得る。
【０１６３】
本明細書中に記載の技術は、さまざまな手段により実装され得る。例えば、これらの技術は、ハードウェア（１つ以上のデバイス）、ファームウェア（１つ以上のデバイス）、ソフトウェア（１つ以上のモジュール）またはそれらの組合せの中で実装され得る。ハードウェア実装のためには、装置は、１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロ・コントローラ、マイクロプロセッサ、デジタル的に強化された回路、本明細書中に記載の機能を実施するために設計された他の電子ユニット、またはこれらの組合せの内部で実装され得る。
【０１６４】
搬送する、ブロードキャストする、シグナリングする、伝送および／または受信するとは、本明細書中において、データの搬送、ブロードキャスト、伝送および／または受信を準備すること、搬送、ブロードキャスト、シグナリング、伝送および／または受信されるべきメッセージを作成すること、および／または物理的伝送および／または受信自体などを個別的に意味し得ることを理解すべきである。同じ原則は、伝送および受信なる用語にも適用され得る。
【０１６５】
本明細書では、以上で本発明の例示用実施形態について説明されているが、本発明の範囲から逸脱することなく、開示された解決法に対し加えることのできるいくつかの変更および修正が存在し得るというにも留意する。
【図１】
0006383004.tif 000002
【図２】
0006383004.tif 000003
【図３】
0006383004.tif 000004
【図４】
0006383004.tif 000005
【図５】
0006383004.tif 000006
【図６】
0006383004.tif 000007